(57)【要約】【課題】パーツ数を増加させることなく内容物の飛散が防止できる容器用ポンプのノズルヘッドを提供する。【解決手段】ノズルヘッド1は、ヘッド2と、ヘッド2の側壁2bから突出するノズル3と、吐出口A2からの内容物の飛散を防止するノズルカバー4とを備える。ノズル3は、上方に向かって直線状に傾斜した基部3aと、ヘッド2の天壁2aの上面2tよりも低い位置の屈曲部3bと、屈曲部3bから下方に向かって傾斜して先端に吐出口A2を形成する先端部3cとからなる。ノズルカバー4は、ヘッド2の側壁2bから一体に突出する逆Ｕ字形断面であって、その天壁4aが先端部3cと一体に形成されている。ノズルカバー4の先端4e1は吐出口A2の先端3e1よりも突出する。ノズルカバー4の2つの側壁4bは、それぞれノズル3と間隔を置いて配置され、ノズル3の突出方向に沿って伸びるに従って互いに接近したのち、互いに等間隔に伸び、その下端4e2はそれぞれ、吐出口A2の下端3e2よりも下側に位置する。【選択図】図１
2015067343.tif 000002
【特許請求の範囲】
【請求項１】
容器本体に取り付けられたポンプに装着されて当該ポンプの押し込み動作を生起させるヘッドと、前記ヘッドの側壁から突出するノズルと、前記ノズルの吐出口からの内容物の飛散を防止するノズルカバーとを備え、
前記ノズルは、前記ヘッドの前記側壁から上方に向かって直線状に傾斜した基部と、前記基部に一体に繋がって前記ヘッドの前記天壁の上面よりも低い位置の屈曲部と、前記屈曲部から下方に向かって傾斜して先端に前記吐出口を形成する先端部とからなり、
前記ノズルカバーは、前記ヘッドの前記側壁から一体に突出するとともに下端と先端とが開放された逆Ｕ字形断面のノズルカバーであって、前記ノズルカバーの天壁が前記ノズルの前記基部と一体に形成されており、前記ノズルカバーの先端が前記ノズルの前記吐出口の先端よりも突出し、
前記ノズルカバーの前記天壁から垂下する当該ノズルカバーの２つの側壁は、それぞれ前記ノズルと間隔を置いて配置されているとともに、前記ヘッドの前記側壁から前記ノズルの突出方向に沿って伸びるに従って互いに接近したのち、互いに等間隔に伸び、当該２つの側壁の下端はそれぞれ、前記ノズルの前記吐出口の下端よりも下側に位置するものである、容器用ポンプのノズルヘッド。
【請求項２】
請求項１において、前記ノズルカバーは、少なくとも前記ノズルの前記屈曲部に対応する部分の上面が平面を形成するものである、容器用ポンプのノズルヘッド。
【発明の詳細な説明】
【技術分野】
【０００１】
本発明は、容器用ポンプのノズルヘッドに関するものである。
【背景技術】
【０００２】
容器用ポンプのノズルヘッドは、容器本体に取り付けられたポンプに装着されて当該ポンプの押し込み動作を生起させるものである。こうしたノズルヘッドは、内容物がノズルの吐出口から排出されるため、例えば、ノズルの吐出口に付着した内容物が固化すると、新たな操作で内容物を取り出そうとしたとき、内容物が予期せぬ方向に飛散することがある。このため、従来のノズルヘッドには、内容物が飛散することを防止するためのノズルカバーを備えるものがある（例えば、特許文献１参照）。
【先行技術文献】
【特許文献】
【０００３】
【特許文献１】特開２０１１−１８４０８８号公報
【発明の概要】
【発明が解決しようとする課題】
【０００４】
しかしながら、上記従来のノズルヘッドは、ノズルカバーがヘッドに対して別パーツとして設けられている。このため、従来のノズルヘッドは、パーツ数が多くなり、組み付け作業性やコスト性の点に改善の余地がある。
【０００５】
本発明の目的は、パーツ数を増加させることなく、内容物の飛散が防止できる、新規の容器用ポンプのノズルヘッドを提供することにある。
【課題を解決するための手段】
【０００６】
本発明の、容器用ポンプのノズルヘッドは、容器本体に取り付けられたポンプに装着されて当該ポンプの押し込み動作を生起させるヘッドと、前記ヘッドの側壁から突出するノズルと、前記ノズルの吐出口からの内容物の飛散を防止するノズルカバーとを備え、
前記ノズルは、前記ヘッドの前記側壁から上方に向かって直線状に傾斜した基部と、前記基部に一体に繋がって前記ヘッドの前記天壁の上面よりも低い位置の屈曲部と、前記屈曲部から下方に向かって傾斜して先端に前記吐出口を形成する先端部とからなり、
前記ノズルカバーは、前記ヘッドの前記側壁から一体に突出するとともに下端と先端とが開放された逆Ｕ字形断面のノズルカバーであって、前記ノズルカバーの天壁が前記ノズルの前記基部と一体に形成されており、前記ノズルカバーの先端が前記ノズルの前記吐出口の先端よりも突出し、
前記ノズルカバーの前記天壁から垂下する当該ノズルカバーの２つの側壁はそれぞれ、前記ノズルと間隔を置いて配置されているとともに、前記ヘッドの前記側壁から前記ノズルの突出方向に沿って伸びるに従って互いに接近したのち、互いに等間隔に伸び、当該２つの側壁の下端はそれぞれ、前記ノズルの前記吐出口の下端よりも下側に位置するものである。
【０００７】
前記ノズルカバーは、少なくとも前記ノズルの前記屈曲部に対応する部分の上面が平面を形成するものとすることができる。
【発明の効果】
【０００８】
本発明によれば、パーツ数を増加させることなく、内容物の飛散が防止できる、新規の容器用ポンプのノズルヘッドを提供することができる。
【図面の簡単な説明】
【０００９】
【図１】本発明の一実施形態である、ノズルヘッドを示す断面図である。
【図２】（ａ）は、図１のノズルヘッドを前方から示す正面図であり、（ｂ）は、同ノズルヘッドを下方から示す底面図である。
【図３】（ａ）は、図１のノズルヘッドを上方から示す平面図であり、（ｂ）は、同ノズルヘッドを示す側面図である。
【図４】（ａ）は、図１のノズルヘッドを前方斜め上側から模式的に示す斜視図であり、（ｂ）は、同ノズルヘッドを前方斜め下側から模式的に示す斜視図である。
【図５】図１のノズルヘッドを装着した容器用ポンプを、容器本体とともに一部断面で示す側面図である。
【発明を実施するための形態】
【００１０】
以下、図面を参照して、本発明の一実施形態である、ノズルヘッド１を詳細に説明する。
【００１１】
図１に示すように、ノズルヘッド１は、熱可塑性樹脂などの合成樹脂製の一体成形品である。
【００１２】
ノズルヘッド１は、ポンプ（図５参照）１０に装着されるヘッド２を有し、このヘッド２を使用者が押し下げることで、この押し込みに応じたポンプ動作（ポンプの押し込み動作）をポンプ１０に生起させる。本実施形態では、ヘッド２は、使用者が押圧する天壁２ａと、この天壁２ａの外縁から一体に垂下する環状の側壁２ｂとからなる。さらに本実施形態では、図１に示すように、ヘッド２の側壁２ｂは、天壁２ａから下方に向かうに従って拡径する傾斜部２ｂ1と、この傾斜部２ｂ1の下端から等しい径のまま垂下する同径部２ｂ2とからなる。傾斜部２ｂ1は、その断面テーパー形状が放物線状であるが、線形テーパー等であってもよい。また、側壁２ｂは、傾斜部２ｂ1を省略することができる。
【００１３】
また、ヘッド２の内側には、天壁２ａから一体に垂下する装着筒２ｃが設けられている。装着筒２ｃは、図５に示すように、ポンプ１０に設けられたステム１５に嵌合する嵌合部２ｃ1とともに、その内側にステム１５から内容物が導入される導入路ｒ1を形成する導入路形成部２ｃ2が形成されている。さらに、導入路形成部２ｃ2の内側には、図１に示すように、複数の突条２ｄとともに整流板２ｅが設けられている。
【００１４】
さらに、ヘッド２の内側には、装着筒２ｃの導入路形成部２ｃ2に通じるバイパス２ｐが設けられている。バイパス２ｐには、導入路形成部２ｃ2に形成された導入路ｒ1に通じる導入口Ａ1が形成されている。導入口Ａ1は、導入路形成部２ｃ2に設けられた突出壁２ｈに開口する。本実施形態では、突出壁２ｈは、天壁２ａから下方に向かうに従ってノズル３の先端３ｅ側に接近する傾斜面２ｆを有し、この傾斜面２ｆに導入口Ａ1が形成されている。
【００１５】
また、ノズルヘッド１は、ヘッド２の側壁２ｂから一体に突出するノズル３を有している。ノズル３は、ヘッド２の側壁２ｂから上方に向かって直線状に傾斜した基部３ａと、この基部３ａに一体に繋がってヘッド２の天壁２ａの上面２ｔよりも低い高さに位置する屈曲部３ｂと、この屈曲部３ｂから下方に向かって曲線状に傾斜して先端に吐出口Ａ2を形成する先端部３ｃとからなっている。本実施形態では、ヘッド２の天壁２ａの上面２ｔは上方に向かって凸状をしてなるため、ノズル３の屈曲部３ｂは、ヘッド２の天壁２ａの上面２ｔの最も高い部分（点）よりも低い位置になるように設定されている。
【００１６】
ノズル３の内側に形成された内部通路ｒは、ノズル３の外観形状と同じ形状に形作られており、バイパス２ｐを貫通して導入口Ａ1に通じる。これにより、ノズル３の吐出口Ａ2は、導入口Ａ1を経て、導入路形成部２ｃ2の内側に形成される導入路ｒ1に通じる。
【００１７】
さらに、ノズルヘッド１は、ノズル３の吐出口Ａ2からの内容物の飛散を防止するノズルカバー４を有する。ノズルカバー４は、ヘッド２の側壁２ｂから一体に突出する。また、ノズルカバー４は、図２（ａ）に示すように、天壁４ａと、この天壁４ａから一体に垂下する２つの側壁４ｂとを有し、下端と先端とが開放された逆Ｕ字形断面形状とされている。図１に示すように、ノズルカバー４の天壁４ａは、ノズル３の基部３ａと一体に形成されるノズルカバー天壁基部４ａ1と、ノズル３の屈曲部３ｂから突出するノズルカバー天壁先端部４ａ2とを有する。本実施形態では、ノズルカバー天壁先端部４ａ2は、ノズル３の屈曲部３ｂおよび先端部３ｃの一部に対してノズルカバー天壁補強部４ａ3を介して一体に設けられている。また、ノズルカバー天壁先端部４ａ2の先端、すなわち、ノズルカバー４の先端４ｅ1は、ノズル３の屈曲部３ｂからノズル３の吐出口Ａ2の先端３ｅ1よりも突出させている。このように、ノズルカバー４の先端４ｅ1が吐出口Ａ2の先端３ｅ1よりも突出することで、内容物が吐出口Ａ2で固化することにより、使用者の意図に反して内容物が上方に飛散する場合でも、飛散した内容物をノズルカバー天壁先端部４ａ2の内側で受けることができるため、飛散防止に有効である。
【００１８】
さらに、図２（ｂ）に示すように、ノズルカバー４の２つの側壁４ｂはそれぞれ、ノズル３と間隔を置いて配置されている。また、図２（ｂ）に示すように、２つの側壁４ｂはそれぞれ、ノズル３の突出方向に沿って伸びるに従って側壁４ｂ同士が互いに接近するように形成されたノズルカバー側壁基部４ｂ1と、ノズル３の屈曲部３ｂから側壁４ｂ同士が互いに等間隔に伸びるノズルカバー側壁先端部４ｂ2からなる。これにより、図３（ａ）に示すように、ノズルカバー４は、ヘッド２から横幅を狭くして先細りしながら突出した後、同一の横幅で突出する。このように、断面逆Ｕ字形のノズルカバー４をヘッド２の側壁２ｂから横幅を狭くして先細りしながら突出した後、同一の横幅で突出させれば、ヘッド２に対して高い剛性（強度）を確保しつつ、ノズルカバー４のスリム化を図ることができる。
【００１９】
加えて、図１に示すように、ノズルカバー４の側壁４ｂの下端４ｅ2はそれぞれ、外向きに突出する放物線状の曲線で形作られた先端側下端４ｅ3を介して、ノズルカバー４の先端４ｅ1に繋がるとともに、ノズル３の吐出口Ａ2の下端３ｅ2よりも下側に位置する。本実施形態では、図３（ｂ）に示すように、ノズルカバー４は、ノズル３全体を覆っている。このように、ノズル３の吐出口Ａ2の下端３ｅ2が、ノズルカバー４の側壁４ｂの内側に配置されることで、内容物が固化することにより、使用者の意図に反して内容物が吐出口Ａ2の下端幅方向に飛散する場合でも、飛散した内容物をノズルカバー４の側壁４ｂの内側で受けることができるため、飛散防止に有効である。
【００２０】
また図１に示すように、本実施形態では、ノズルカバー天壁先端部４ａ2が下方に向かって傾斜している。この場合、内容物が固化することで、使用者の意図に反して内容物が上方だけでなく先端側（前方側）に飛散する場合でも、飛散した内容物をノズルカバー天壁先端部４ａ1の内側で受けることができるため、飛散防止に一層有効である。さらに本実施形態では、ノズルカバー４は、少なくともノズル３の屈曲部３ｃを含む部分に対応する部分（例えば、ノズル３の屈曲部３ｂの上面およびノズルカバー天壁補強部４ａ3の上面の少なくともいずれか一部分）の上面４ｆが平面を形成している。この場合、ノズルカバー４の天壁４ａに形成された上面４ｆを、ヘッド２の天壁２ａの上面２ｔとともに、ヘッド２を押し下げるための押圧面として機能させることができる。
【００２１】
上述のように、本実施形態のノズルヘッド１によれば、パーツ数を増加させることなく、内容物の飛散が防止できる。
【００２２】
なお、参考までに、図４（ａ）には、ノズルヘッド１を前方斜め上側から模式的に示し、図４（ｂ）には、本実施形態のノズルヘッド１を前方斜め下側から模式的に示す。
【００２３】
また、図５には、本実施形態のノズルヘッド１を装着した容器用ポンプの一例を一部断面で示す。
【００２４】
符号１０は、ノズルヘッド１を装着する容器用ポンプである。容器用ポンプ１０は、二点鎖線で示す容器本体２０の口部２１に装着される。符号１１は、容器本体２０の口部２１の内側に配置されるシリンダである。シリンダ１１は、シリンダ本体１１ａとフランジ１１ｂを有する。シリンダ１１は、口部２１の上端にフランジ１１ｂが載せ置かれることで、口部２１の内側に配置される。この例では、フランジ１１ｂは口部２１の上端にＯリング１７を介して載せ置かれている。また、フランジ１１ｂには、装着キャップ１２が回転可能に設けられている。装着キャップ１２は、容器本体２０の口部２１に螺合する。これにより、シリンダ１１は、容器本体２０の口部２１に液密な状態で固定される。
【００２５】
またシリンダ本体１１ａには、アダプタ１１ｃを介してパイプ１１ｄが装着されている。またシリンダ本体１１ａの内側には、逆止弁（吸入弁）１３が配置されている。さらに、シリンダ本体１１ａには、スプリング１４を介してステム１５が支持されている。ステム１５は、中空の部材であって、シリンダ本体１１ａの内周面を液密状態にスライド可能なピストン１５ａを有する。またステム１５には、逆止弁（排出弁）１６が配置されている。これにより、シリンダ１１に配置した吸入弁１３と、ステム１５に配置した排出弁１６との間には、容器本体２０内の内容物を、吸引・加圧および圧送するためのポンプ室Ｓが形成される。
【００２６】
ノズルヘッド１は、ステム１５に装着される。これにより、ノズルヘッド１を押し下げれば、ポンプ１０の押し込み動作を生起させることができ、ノズルヘッド１の押し込みを解除すれば、スプリング１４の復元力によって、ポンプ１０の復帰動作を生起させることができる。従って、本発明に従う、ノズルヘッド１によれば、従来と同様の内容物の取出しが可能になる。
【００２７】
上述したところは、本発明の一実施形態を示したものにすぎず、いわゆる当業者であれば、様々な変更、省略が可能である。
【産業上の利用可能性】
【００２８】
本発明は、例えば、シャンプー、リンス、ボディソープ、ハンドソープ、化粧液など、固化しやすい液体等を内容物とする、容器用ポンプのノズルヘッドとして利用することができる。
【符号の説明】
【００２９】
１      ノズルヘッド
２      ヘッド
２ａ    天壁
２ｂ    側壁
２ｔ    ヘッドの上面
３      ノズル
３ａ    基部
３ｂ    屈曲部
３ａ    先端部
３ｅ    ノズルの先端
３ｅ1   吐出口の先端
３ｅ2   吐出口の下端
４      ノズルカバー
４ａ    天壁
４ａ1   ノズルカバー天壁基部
４ａ2   ノズルカバー天壁先端部
４ａ3   ノズルカバー天壁補強部
４ｂ    側壁
４ｂ1   ノズルカバー側壁基部
４ｂ2   ノズルカバー側壁先端部
４ｆ    ノズルカバーの上面
４ｅ1   ノズルカバーの先端
４ｅ2   ノズルカバーの側壁の下端
１０    容器用ポンプ（ポンプ）
１１    シリンダ
１２    装着キャップ
１３    吸入弁
１４    スプリング
１５    ステム
１５ａ  ピストン
１６    排出弁
２０    容器本体
２１    口部
Ａ1     導入口
Ａ2     吐出口
【図１】
2015067343.tif 000003
【図２】
2015067343.tif 000004
【図３】
2015067343.tif 000005
【図４】
2015067343.tif 000006
【図５】
2015067343.tif 000007